(57)【要約】【課題】野生動物の侵入をより確実に防止することができる野生動物侵入防止装置を提供する。【解決手段】矩形の枠２内に主部材３を矢印で示す、通路の進行方向である動物の侵入方向に向けて横（図の左右）方向に一定間隔で並設すると共に、補助部材４をジグザグに形成して屈折した山及び谷で主部材３に固着し、一体化したパネル１と、該パネル１に被せられ、周縁がパネル１の枠２に止着されるゴム又は樹脂製の不透明なシート１８よりなり、該シート１８には十文字の切れ目１９が入れられ、各切れ目１９がパネル１の開口５の中央部に位置するようにシート１８がパネル１に被せられる。【選択図】図８
2017086014.tif 000002
【特許請求の範囲】
【請求項１】
車両や人が通行する通路に、該通路を通って野生動物が侵入するのを防止するために設置される野生動物侵入防止装置であって、野生動物の脚が入り込む程の開口を前後左右に多数形成したパネルと、該パネルに被せ、止着手段により止着されるシートよりなり、該シートには前記開口に対応する箇所に野生動物の脚が入り込む切れ目が形成されることを特徴とする野生動物侵入防止装置。
【請求項２】
前記シートが着色されるか又は不透明な材質で形成され、開口が透視できないようにしてあることを特徴とする請求項１記載の野生動物侵入防止装置。
【発明の詳細な説明】
【技術分野】
【０００１】
本発明は、栽培された農作物、植樹された苗木等への猪、鹿、狸、狐等の野生動物による食害を防ぐため、農林道等の通路に設置される野生動物侵入防止装置に関する。
【背景技術】
【０００２】
農作物への被害は従来、猪や鹿によるものが主であったが、近年では狸や狐等の生息域拡大により、これらを含む複合獣種による被害が増加している。野生動物による食害防止効果としては、農地の周りに柵や鉄状網等のフェンスを設置するのが一般的で、出入口には開閉可能なドアフェンスを設けているが、人や車両が出入りする都度、ドアフェンスを開閉するのは面倒で、ドアフェンスを閉め忘れると、そこから野生動物が侵入することがある。
【０００３】
この問題に対処するため、下記特許文献１には、野生動物の脚が入る程度の開口寸法と、脚の肘関節又は膝関節まで踏み入れても穴底に達しない深さの穴を備えた格子状若しくはハニカム状のパネル（グレーチング）を農地等の出入口に設置することが提案されている。
【先行技術文献】
【特許文献】
【０００４】
【特許文献１】特開２０１１−１６０７３１号
【発明の概要】
【発明が解決しようとする課題】
【０００５】
野生動物は脚を負傷すると、生命にかかわるため、脚を負傷することを本能的に嫌う習性がある。特許文献１に開示されるパネルは、人や車両が出入りするのには支障はないが、野生動物の脚が入り込む程の開口を無数に備えていることから、野生動物にパネル上を歩く警戒心を抱かせ、猪や鹿などの野生動物の侵入するのを防止する効果があるが、狸や狐など蹄をもたない野生動物では開口に脚を踏み入れないように開口を形成するパネルの桟を伝い歩きして侵入する個体もある。
【０００６】
本発明は、野生動物の侵入をより確実に防止することができる野生動物侵入防止装置を提供することを目的とする。
【課題を解決するための手段】
【０００７】
請求項１に係る発明は、車両や人が通行する通路に、該通路を通って野生動物が侵入するのを防止するために設置される野生動物侵入防止装置であって、野生動物の脚が入り込む程の開口を前後左右に多数形成したパネルと、該パネルに被せ、止着手段により止着されるシートよりなり、該シートには前記開口に対応する箇所に野生動物の脚が入り込む切れ目が形成されることを特徴とする。
【０００８】
請求項２に係る発明は、請求項１に係る発明において、前記シートが着色されるか又は不透明な材質で形成され、開口が透視できないようにしてあることを特徴とする。
【発明の効果】
【０００９】
請求項１に係る発明によると、野生動物が開口上のシートに脚を踏み入れると、脚が切れ目を通して開口内に入り込み、野生動物に恐怖心を抱かせて侵入防止効果を発揮する。
【００１０】
請求項２に係る発明によると、野生動物は開口を視認できないため、開口を避けてパネルの桟を伝い歩きするのが困難となる。
【図面の簡単な説明】
【００１１】
【図１】パネルの平面図。
【図２】パネルの別の例の平面図。
【図３】パネルの更に別の例の平面図。
【図４】シートの平面図。
【図５】図４のａ部の拡大図。
【図６】切れ目の別の例を示す図。
【図７】切れ目の更に別の例を示す図。
【図８】図１に示すパネルに図４に示すシートを被せた平面図。
【図９】シートの側縁をネジによりパネルの枠に止着した断面図。
【図１０】シートの側縁をクリップにより止着した図。
【発明を実施するための形態】
【００１２】
以下、本発明の実施形態に係る野生動物侵入防止装置について図面により説明する。
図１は、本装置を構成するパネルの一例を示すもので、該パネル１は矩形の枠２内に主部材３を矢印で示す、通路の進行方向である動物の侵入方向に向けて横（図の左右）方向に一定間隔で並設すると共に、補助部材４をジグザグに形成して屈折した山及び谷で主部材３に固着し、一体化してなるもので、前記両部材３及び４により野生動物の脚が入り込む種の台形及び菱形の形態の開口５を前後左右に形成している。
【００１３】
パネルには、図１に示すパネル１以外に、例えば図２に示すように矩形の枠７内に主部材８を矢印で示す動物の侵入方向に対し傾斜して並設すると共に、補助部材９を主部材８と交差して並設し、両部材８及び９により野生動物の脚が入り込む程の菱形の開口１０を形成したパネル１１、図３に示すように矩形の枠１３内に主部材１４を矢印で示す動物の侵入方向に向けて横（図３の左右）方向に一定間隔で並設すると共に、補助部材１５を通路の進行方向及び前記主部材１４に対し傾斜して同じく一定間隔で並設し、両部材１４及び１５で野生動物の足が入るほどの菱形又は平行四辺形の開口１６を前後左右に多数形成したパネル１７、縦（主）部材と横（補助）部材を組み合わせて格子状をなし、主部材と補助部材で形成される開口が矩形をなすグレーチング状のパネル、ハニカム状をなし、開口が六角形をなすパネル等を用いることができ、その他開口が円形、楕円形その他任意形状をなすパネルを用いることもできる。
【００１４】
図４は図１に示すパネル１に被せられるゴム又は樹脂製のシート１８で、耐候性、耐摩耗性及び動物による噛み付き及び引っ張りに耐える強度を有し、好ましくは更に着色されるか不透明な材質で形成されてパネル１に被せたとき、主部材３や補助部材４及び開口５が透視できないようにされる。シート１８にはまた横方向（図４の左右方向）には主部材３と同一ピッチ、縦方向（図４の前後方向）には補助部材４と同一ピッチで十文字の切れ目１９が入れられ、この切れ目１９は図５に示されるように十文字の切れ目１９の中央に径大の穴２１を、前後左右の切れ目端に小穴２２を備えている。
【００１５】
切れ目１９の形状は図示されるものに限定されるものではなく、例えば図６に示すように中央の径大の穴２１より三叉状に形成されていたり、図７に示すように中央の径大の穴２１より放射状（図示する例では八方）に形成されていてもよい。
【００１６】
前述の穴２１及び２２は切れ目部分でシートを折れ曲げ易く、動物の脚が入り込み易くするためであるが、穴２１、２２は形成されていなくても、切れ目１９を通して動物の脚が入り込むことは可能である。
【００１７】
図４に示すシート１８は、図４に示すパネル１上に十文字の切れ目１９が前記開口５の中央部に位置するように被せられ（図８）、側縁の折り曲げ代２３（図４参照）が枠２に沿って折り曲げられ、止着手段としてのネジ２４にて枠２に止着されている（図９）。
【００１８】
シート側縁の枠２への止着は、図１０に示すようにクリップ２６により行ってもよいし、ネジ２４やクリップ２６を使用しないで、接着剤或いは両面テープにより接着してもよい。これらの場合にはしたがって、止着手段はクリップ２６や両面テープ等となるが、これ以外の止着手段を用いることもできる。止着手段は要はシート１８をパネル１に止着できればどのようなものでもよく、その種類を問わない。
【００１９】
パネルに被せられるシートは、主部材や補助部材のピッチが異なったパネル、或いは前述の各種形態の開口を備えたパネルに対しては、シート１８に形成される切れ目も開口の形態に合わせて形成され、シート１８は各切れ目が開口内に納まるようにパネル上に装着される。
【００２０】
なおシート１８を装着したパネルは、動物の脚の第１関節が開口内に入ったとき、脚が穴底に達しない程度の高さに形成されるが、パネルの高さが十分でなく、動物の脚の肘関節又は膝関節が開口内に入ったとき、脚が地面に当たるような場合、当たらないように設置箇所の通路が堀り下げられる。
【符号の説明】
【００２１】
１、１１、１７・・パネル
２、７、１３・・枠
３、８、１４・・主部材
４、９、１５・・補助部材
５、１０、１６・・開口
１８・・シート
１９・・切れ目
２１、２２・・穴
２３・・折り曲げ代
２４・・ネジ
２６・・クリップ
【図１】
2017086014.tif 000003
【図２】
2017086014.tif 000004
【図３】
2017086014.tif 000005
【図４】
2017086014.tif 000006
【図５】
2017086014.tif 000007
【図６】
2017086014.tif 000008
【図７】
2017086014.tif 000009
【図８】
2017086014.tif 000010
【図９】
2017086014.tif 000011
【図１０】
2017086014.tif 000012